(57)【要約】【課題】記録媒体の容量が増大し、そこに記録されるオーディオ、静止画、ビデオなどのデータファイルの数が一気に増えると、それに伴ってプレイリスト情報ファイルの数も増えることになり、その中からユーザーが再生したいプレイリスト情報ファイルを選択する操作自体が不便になってきている点。【解決手段】ファイル管理手段１４がファイル読み出し手段１６により記録媒体１からコンテンツ参照情報ファイル７あるいはプレイリスト情報ファイル９からタイプ情報を読み出して解析することで、規定型タイプのプレイリスト情報ファイル９を優先して自動再生することができる。【選択図】図１
2005276337.tif 000002
【特許請求の範囲】
【請求項１】
オーディオ、動画、静止画などのコンテンツデータファイルと前記コンテンツデータファイルの内容情報を示したコンテンツ参照情報ファイル、または再生順序情報を示したプレイリスト情報ファイルなどの管理情報ファイルを１個以上保持する記録媒体から前期コンテンツデータファイル及び前記管理情報ファイルを前記記録媒体から読み出すためのファイル読み出し手段と、ユーザーの操作入力に従って前記ファイル読み出し手段にて読み出された前期コンテンツデータファイル及び前記管理情報ファイルの情報管理を行うファイル管理手段と、前期コンテンツデータファイルを再生するためのデコードを行うコンテンツデータファイルデコード手段とを備え、前記ファイル管理手段は電源を入れたとき、または前記記録媒体を装着したとき、または再生開始の操作を行ったときに、前記記録媒体からプレイリスト情報ファイルを読み出し、エントリーされているコンテンツデータファイル数が最も多いプレイリスト情報ファイルを優先的に選択し、その手順に従って再生を開始するように動作することを特徴とする再生装置。
【請求項２】
オーディオ、動画、静止画などのコンテンツデータファイルと前記コンテンツデータファイルの内容情報を示したコンテンツ参照情報ファイル、または再生順序情報を示したプレイリスト情報ファイルなどの管理情報ファイルを１個以上保持する記録媒体から前期コンテンツデータファイル及び前記管理情報ファイルを前記記録媒体から読み出すためのファイル読み出し手段と、ユーザーの操作入力に従って前記ファイル読み出し手段にて読み出された前期コンテンツデータファイル及び前記管理情報ファイルの情報管理を行うファイル管理手段と、前期コンテンツデータファイルを再生するためのデコードを行うコンテンツデータファイルデコード手段とを備え、前記ファイル管理手段は電源を入れたとき、または前記記録媒体を装着したとき、または再生開始の操作を行ったときに、前記記録媒体からコンテンツ参照情報ファイルまたはプレイリスト情報ファイルを読み出し、規定型のプレイリストタイプを持つプレイリスト情報ファイルを優先的に選択し、その手順に従って再生を開始するように動作することを特徴とする再生装置。
【請求項３】
記録媒体に複数の規定型のプレイリストタイプを持つプレイリスト情報ファイルが存在するとき、エントリーされているコンテンツデータファイル数が最も多い規定型のプレイリストタイプを持つプレイリスト情報ファイルを優先的に選択し、その手順に従って再生を開始するように動作することを特徴とする請求項２記載の再生装置。
【請求項４】
規定型プレイリストタイプについて、再生時に優先して選択される順番情報を保持する規定型プレイリストタイプ別再生優先順位保持手段を備え、記録媒体に複数の規定型のプレイリストタイプを持つプレイリスト情報ファイルが存在するとき、規定型プレイリストタイプ別再生優先順位保持手段の情報に基づき優先順位の高い規定型のプレイリストタイプを持つプレイリスト情報ファイルを選択し、その手順に従って再生を開始するように動作することを特徴とする請求項２記載の再生装置。
【請求項５】
コンテンツデータファイルの種類はオーディオデータファイルであり、規定型のプレイリストタイプは、アーティスト名毎に整理された全てのオーディオデータファイルを含むプレイリストタイプ、ジャンル名毎に整理された全てのオーディオデータファイルを含むプレイリストタイプ、アルバム名毎に整理された全てのオーディオデータファイルを含むプレイリストタイプであることを特徴とする請求項３記載または請求項４記載の再生装置。
【請求項６】
オーディオ、動画、静止画などのコンテンツデータファイルと前記コンテンツデータファイルの内容情報を示したコンテンツ参照情報ファイル、または再生順序情報を示したプレイリスト情報ファイルなどの管理情報ファイルを１個以上保持する記録媒体から前期コンテンツデータファイル及び前記管理情報ファイルを前記記録媒体から読み出すためのファイル読み出し手段と、ユーザーの操作入力に従って前記ファイル読み出し手段にて読み出された前期コンテンツデータファイル及び前記管理情報ファイルの情報管理を行うファイル管理手段と、ユーザーが選択可能なプレイリスト情報ファイルの一覧を表示するメニュー表示手段とを備え、前記メニュー表示手段がプレイリスト情報ファイルの一覧を表示するときに、規定型のプレイリストタイプを持つプレイリスト情報ファイルの領域に目立つ装飾を加えて表示する、あるいは一覧の先頭に集めて優先的に表示することで選択しやすくしたことを特徴とする再生装置。
【発明の詳細な説明】
【技術分野】
【０００１】
本発明は、オーディオ、静止画、ビデオの各コンテンツデータファイルを再生する際に、プレイリスト情報ファイルを利用する再生装置に関するものである。
【背景技術】
【０００２】
従来、パーソナルコンピュータにおいては音楽・音声・効果音などを記録したオーディオデータファイルや写真・絵画・グラフィック等を記録した静止画データファイルや映画・ビデオ・アニメーションなどを記録したビデオデータファイルをユーザーの希望によりこれらが保存された記録媒体から選択して再生することができる。これらのデータは記録媒体に応じた所定のファイルシステムで管理されており、パーソナルコンピュータでは階層構造を持ったディレクトリの中に存在するファイルとしてその所在を認識することができる。
【０００３】
これらのコンテンツデータファイルの中で複数のファイルを特定の順番で連続的に再生する手順を定義したファイルを一般にプレイリスト情報ファイルと呼んでいる。ファイル名の前にディレクトリのパス名を付けた文字列を単純に並べただけのプレイリスト情報ファイル（例えば、非特許文献１参照）や、ファイル名とそれ以外の情報を一緒に記述したＸＭＬ（ｅＸｔｅｎｓｉｂｌｅ  Ｍａｒｋｕｐ  Ｌａｎｇｕａｇｅ）形式のプレイリスト情報ファイル（例えば、非特許文献２参照）や、コンテンツデータファイルをＩＤ番号で定義し、プレイリスト情報ファイルだけではなくメニューやコンテンツデータファイルのメタデータをまとめて管理するシステムなどが存在する（例えば、非特許文献３参照）。
【０００４】
ＣＤ−Ｒ（Ｃｏｍｐａｃｔ  Ｄｉｓｋ−Ｒｅｃｏｒｄａｂｌｅ）などの記録媒体上にコンテンツデータファイルと一緒にこれらのプレイリスト情報ファイルを記録しておくと、それぞれのプレイリスト情報ファイルに対応したプレーヤで再生するときに、ユーザーはプレイリスト情報ファイルを選択するだけで希望のデータファイルを一定の順序で再生することができる。
【０００５】
また、記録媒体上に記録されているが、どのプレイリスト情報ファイルにもエントリーされていないオーディオデータファイルを集めたプレイリスト情報ファイルを再生装置が作成し、他のプレイリスト情報ファイルと同等の扱いで再生する再生装置がある（例えば、特許文献１参照）。
【０００６】
このようにプレイリスト情報ファイルを利用することによって、ユーザーは記録媒体に大量に保存されたデータファイルの中から、特定のくくりでまとめておいたコンテンツデータファイルを選択して再生することができる。
【非特許文献１】ＣＤ→ＷＡＶ→ＭＰ３のページ作者、“プレイリストについて”、［  ｏｎｌｉｎｅ  ］、平成１６年３月５日、［平成１６年３月５日検索］、インターネット＜ＵＲＬ：ｈｔｔｐ：／／ｗｗｗ．ｃｄｗａｖｍｐ３．ｃｏｍ／ｐｌａｙｅｒ／ｐｌａｙｌｉｓｔ．ｈｔｍｌ＞
【非特許文献２】Ｏｐｔｉｃａｌ  Ｓｔｏｒａｇｅ  Ｔｅｃｈｎｏｌｏｇｙ  Ａｓｓｏｃｉａｔｉｏｎ，  Ｉｎｃ．、“ＭＰＶ  Ｃｏｒｅ  Ｓｐｅｃｉｆｉｃａｔｉｏｎ  Ｒｅｖｉｓｉｏｎ  １．０１”、［  ｏｎｌｉｎｅ  ］、平成１５年３月１１日、［平成１６年３月５日検索］、インターネット＜ＵＲＬ：ｈｔｔｐ：／／ｗｗｗ．ｏｓｔａ．ｏｒｇ／ｍｐｖ／ｐｕｂｌｉｃ／ｓｐｅｃｓ．ｈｔｍ＞
【非特許文献３】ＨｉｇｈＭＡＴ．ＣＯＭ、“ＨｉｇｈＭＡＴはここが違います”、［  ｏｎｌｉｎｅ  ］、平成１６年３月５日、［平成１６年３月５日検索］、インターネット＜ｈｔｔｐ：／／ｗｗｗ．ｈｉｇｈｍａｔ．ｃｏｍ／ｊａｐａｎｅｓｅ／ｗｈａｔｉｓｉｔ／ｂｅｆｏｒｅａｎｄａｆｔｅｒ．ａｓｐ＞
【特許文献１】特開２００１−２０２０８５号公報
【発明の開示】
【発明が解決しようとする課題】
【０００７】
解決しようとする問題点は、記録媒体の容量が増大し、そこに記録されるオーディオ、静止画、ビデオなどのデータファイルの数が一気に増えると、それに伴ってプレイリスト情報ファイルの数も増えることになり、その中からユーザーが再生したいプレイリスト情報ファイルを選択する操作自体が不便になってきている点である。
【課題を解決するための手段】
【０００８】
本発明は、ユーザーの操作指示を受けファイル読み出し手段により記録媒体から読み出したコンテンツ参照情報ファイルやプレイリスト情報ファイルの情報を管理し、規定型のプレイリストタイプを持つプレイリスト情報ファイルを優先的に選択して即時に再生することを最も主要な特徴とする。
【発明の効果】
【０００９】
本発明の再生装置は、多くのオーディオ、静止画、ビデオのコンテンツデータファイルと共に複数のプレイリスト情報ファイルを記録した記録媒体、例えばＣＤ−Ｒ、ＤＶＤ−ＲあるいはリムーバブルＨＤ（Ｈａｒｄ  Ｄｉｓｋ）を乗用車でのドライブ中に音楽鑑賞したい場合に、記録媒体を車載型のＡＶ機器に装着するだけで、最も多くのコンテンツをエントリーした、あるいはアーティスト名、アルバム名、ジャンルといった項目により分類整理されたプレイリストを自動的に選択して、ユーザーに手間を取らさずに再生を開始することが容易になる。例えば、同じ記録媒体を自宅のリビングで鑑賞するときには、オーディオ以外のコンテンツも視聴するため、あるいは様々に分類されたオーディオデータファイルを目的に合わせて選曲するために、記録媒体にあらかじめ記録されたプレイリスト情報ファイルをメニュー形式で全て表示しておいて、その中からリモコン操作などにより選んでいくという手順を踏む。のんびりとした気分のときには、このようにバラエティに富んだ選択操作自体が、楽しいときもある。しかし、通勤中や散歩中、あるいは電車の中や乗用車を運転中の時には、機器の操作に気を配る余裕が無く、できる限り少ない操作で早く再生を開始することを望む。このような利用目的に最も適し、余計な操作や注意を払うことなく、エントリーとして多くのコンテンツデータファイルを網羅したプレイリスト情報ファイルに従って即座に視聴が開始できるという利点がある。
【発明を実施するための最良の形態】
【００１０】
最も多くのコンテンツデータファイルをエントリーしたプレイリスト情報ファイルを自動的に選択し、即座に視聴が開始できるようにするという目的を、コンテンツ参照情報ファイルやプレイリスト情報ファイルの情報を管理するファイル管理手段により、規定型のプレイリストタイプやコンテンツデータファイルのエントリー数を分析することにより実現した。
【００１１】
以下本発明の実施の形態について、図１から図６を用いて説明する。
【００１２】
（実施の形態）
はじめに図１は、本発明の実施の形態における再生装置のブロック図である。１は着脱可能な記録媒体、２は記録媒体１に保持されるコンテンツデータファイルの集まりであるコンテンツデータファイル群、３はコンテンツデータファイル群２の一要素であるオーディオデータファイル、４はコンテンツデータファイル群２の一要素である静止画データファイル、５はコンテンツデータファイル群２の一要素であるビデオデータファイル、６は記録媒体１に保持される管理情報ファイルの集まりである管理情報ファイル群、７は管理情報ファイル群６の一要素でありコンテンツデータファイルのパラメータを集約したコンテンツ参照情報ファイル、８は管理情報ファイル群６の一要素でありコンテンツ再生の動作手順の設定や選択をするためのユーザーインターフェースとしてのメニューの表示内容を記述したメニュー情報ファイル、９は管理情報ファイル群６の一要素でありコンテンツデータファイルを特定の順番で連続的に再生する手順を定義したプレイリスト情報ファイル、１０は管理情報ファイル群６の一要素でありコンテンツデータファイルのメタデータを集約したメタデータ情報ファイル、１１は管理情報ファイル群６の一要素でありメニュー表示で使用するバックグランド画像やプレイリストのサムネイル画像をまとめたメニュー表示用画像ファイル、１２は本発明の再生装置、１３は再生装置１２においてファイル情報の管理、作成とその他のブロックの制御を行う制御手段、１４は制御手段１３において全てのファイル情報、表示するメニュー情報の管理を行うファイル管理手段、１５は制御手段１３において規定型プレイリストタイプについて、再生時に優先して選択される順番情報を保持する規定型プレイリストタイプ別再生優先順位保持手段、１６は記録媒体１からコンテンツデータファイル群２や管理情報ファイル６の読み出しを行うファイル読み出し手段、１７はファイル読み出し手段１６で読み出したコンテンツデータファイルのデコード処理を行うコンテンツデータファイルデコード手段、１８はユーザーに再生装置１２の動作状況やコンテンツデータファイルを再生する際のメニューを表示するメニュー表示手段、１９はメニューを操作して再生装置５の動作を指示する操作入力手段を構成している。
【００１３】
ここでは記録媒体１は着脱可能な構成としたが、再生装置に内蔵される記録媒体であり、さらに保持されるそれぞれのファイルを再生装置の外部に接続された装置や通信路から取り込んだり、または読み出したりできる構成であっても良い。具体的には、記録媒体１は、ＣＤ−Ｒ／−ＲＷ、ＤＶＤ−ＲＡＭ／−Ｒ／−ＲＷ／＋Ｒ／＋ＲＷなどの光ディスク、リムーバブルのＨＤ、フラッシュメモリ、ネットワークに接続されたサーバーなどを有している。また制御手段１３は具体的には、ＣＰＵ（Ｃｅｎｔｒａｌ  Ｐｒｏｃｅｓｓｉｎｇ  Ｕｎｉｔ）や組み込み型のマイクロコンピュータなどを有している。
【００１４】
続いて、図２は本発明の実施の形態におけるコンテンツ参照情報ファイル２０の説明図であり、２１はその管理情報ファイルの種別情報やそこに含まれるデータファイルの各種補助情報や管理情報データ個数などを格納するヘッダ部、２２は各種管理情報ファイルにおけるデータそのものを格納したデータ部、２３はデータ部２２の一部であり記録媒体１に存在するディレクトリのパス情報をまとめたディレクトリテーブル、２４はデータ部２２の一部であり記録媒体１に記録された複数のプレイリスト情報ファイルに関するＩＤ情報や、オーディオ、静止画、ビデオのどのコンテンツデータファイルを含むのかを示すコンテンツタイプ情報や、規定型プレイリストタイプである場合にどのタイプであるかを示すタイプ情報をまとめたプレイリスト情報ファイルテーブル、２５はデータ部２２の一部であり記録媒体１に存在するコンテンツデータファイルのパラメータ情報をまとめたコンテンツデータファイルテーブルを構成している。
【００１５】
続いて、図３は本発明の実施の形態におけるｘ番目のプレイリスト情報ファイル３０の説明図であり、３１はその管理情報ファイルの種別情報やそこに含まれるデータファイルの各種補助情報や管理情報データの個数などを格納するヘッダ部、３２はヘッダ部３１の所定の領域に割り当てられていてプレイリスト情報ファイル３０にオーディオ、静止画、ビデオのどのコンテンツデータファイルがエントリーされているのかを示すプレイリストコンテンツタイプ、３３はヘッダ部３１の所定の領域に割り当てられていてプレイリスト情報ファイル３０が規定型プレイリストタイプである場合にどのタイプであるかを示すタイプ情報をまとめたプレイリストタイプ、３４はヘッダ部３１の所定の領域に割り当てられていてプレイリスト情報ファイル３０にエントリーされたコンテンツデータの総数を示すコンテンツデータファイル数、３５は再生順に、コンテンツデータファイルを特定するための情報となるファイル名や再生方法の指定情報を列べた再生順序記述部を構成している。
【００１６】
続いて、図４は本発明の実施の形態におけるオーディオ再生用メニュー画面の説明図であり、優先順位の高い順にプレイリスト情報ファイル９のタイトル名がソートされて並んでおり、また各プレイリスト情報ファイル９にエントリーされたコンテンツデータの数も一緒に表示されている様子を示している。
【００１７】
続いて、図５は本発明の実施の形態におけるプレイリストタイプの定義表の説明図であり、１から８のプレイリストタイプは既に定義された規定型プレイリストタイプであることを示している。
【００１８】
続いて、図６は本発明の実施の形態におけるコンテンツ参照情報ファイル７やプレイリスト情報ファイル９の情報を用いてエントリーとして多くのコンテンツデータファイルを網羅したプレイリスト情報ファイル９を自動選択する、あるいは規定型タイプのプレイリスト情報ファイル９を自動選択するまでの再生装置１２の処理フロー図である。
【００１９】
次に、プレイリスト情報ファイル９を自動選択する処理のフロー図６を用いてファイル読み出し手段１６により記録媒体１から読み出したコンテンツ参照情報ファイル７やプレイリスト情報ファイル９の情報を分析し、最も多くのコンテンツデータファイルをエントリーした代表的なプレイリスト情報ファイル９を自動的に選択して即座に再生するときの動作について説明する。
【００２０】
記録媒体１にはオーディオデータファイル３、静止画データファイル４、ビデオデータファイル５のいずれか１個以上のデータファイルからなるコンテンツデータファイル群２とコンテンツデータファイルのパラメータを集約したコンテンツ情報ファイル７、コンテンツ再生の動作手順の設定や選択をするためのユーザーインターフェースとしてのメニューの表示内容を記述したメニュー情報ファイル８、コンテンツデータファイルを特定の順番で連続的に再生する手順を定義したプレイリスト情報ファイル９、コンテンツデータファイルのメタデータを集約したメタデータ情報ファイル１０、メニュー表示で使用するバックグランド画像やプレイリストのサムネイル画像をまとめたメニュー表示用画像ファイル１１のいずれか１個以上の情報ファイルからなる管理情報ファイル群６が保存されているとする。ユーザーはこれから長距離ドライブに出かけるために乗用車を運転し、既に一般道を走り始めているとする。交差点の信号で一時停止したときに、ふと音楽を聴きながら走りたくなり、自宅で録り溜めた記録媒体１を車載型ＡＶ機器である再生装置１２に装着する。興味のある音楽やビデオなどを入手すると、どんどんこの記録媒体１に追加記録しているので、自分でもどのようなコンテンツが記録されているのかも把握できないくらいに記録したコンテンツデータファイル群２の量が増えている。信号が青に変わりそうなので運転に集中する必要があり、再生装置１２の操作に手間を取りたくないが、しかしできる限り整理された順番で、再生できる全てのオーディオデータファイル３を、この長いドライブ中に聞くことを望んでいる。このとき再生装置１２は次のように動作する。
【００２１】
記録媒体１を再生装置１２に装着する、あるいは操作入力手段１９により自動再生キーを入力すると制御手段１３がそのことを関知してステップ４０のプレイリスト検索動作を開始する。まず処理ステップ４１でファイル管理手段１４はファイル読み出し手段１６により記録媒体１からコンテンツ参照情報ファイル７を読み込む。次に分岐処理ステップ４２で先に読み込んだコンテンツ参照情報ファイル７のプレイリスト情報ファイルテーブル２４にまとめて記録された全てのプレイリスト情報ファイル９に関するタイプ情報の内容を確認し、規定型タイプのプレイリスト情報ファイル９が有れば分岐処理ステップ５０に、無ければ処理ステップ４３に分岐する。場合によってはコンテンツ参照情報ファイル７そのものが記録されていない場合もあり、そのときも処理ステップ４３に分岐する。次に処理ステップ４３では、記録媒体１に記録された全てのプレイリスト情報ファイル９を順番に読み込む。続いて分岐処理ステップ４４で先に読み込んだ全てのプレイリスト情報ファイル９のヘッダ部３１の所定の領域に割り当てられているそれぞれのプレイリスト情報ファイル３０に関するプレイリストタイプ３３の内容を確認し、規定型タイプのプレイリスト情報ファイル９が有れば分岐処理ステップ５０に、無ければ分岐処理ステップ４５に分岐する。分岐処理ステップ４５では自動再生を開始するのかどうかを判断するのであるが、記録媒体１の装着時には自動再生するように設定されていると仮定し、あるいは自動再生キーを操作したことにより処理ステップ４８に分岐する。処理ステップ４８ではプレイリスト情報ファイル３０のヘッダ部３１の所定の領域に割り当てられているそれぞれのプレイリスト情報ファイル３０にエントリーされたコンテンツデータの総数を示すコンテンツデータファイル数３４の内容を確認し、エントリーされているコンテンツデータファイル数が最も多いプレイリスト情報ファイル９を優先的に選択して、その手順に従って再生を開始する。
【００２２】
分岐処理ステップ５０に分岐した場合は、ここでも自動再生を開始するのかどうかを判断し、自動再生が有効な場合には分岐処理ステップ５１に、無効な場合には処理ステップ５６に分岐する。分岐処理ステップ５１では、処理手段１３の規定型プレイリストタイプ別再生優先順位保持手段１５にこの記録媒体１に適用できる規定型プレイリストタイプ別再生優先順位情報が保持されているかを判断し、有れば処理ステップ５２に、無ければ判別処理ステップ５３に分岐する。処理ステップ５２ではコンテンツ参照情報ファイル７のプレイリスト情報ファイルテーブル２４にまとめて記録された全てのプレイリスト情報ファイル９に関するタイプ情報、または全てのプレイリスト情報ファイル９のヘッダ部３１の所定の領域に割り当てられているそれぞれのプレイリスト情報ファイル３０に関するプレイリストタイプ３３と、規定型プレイリストタイプ別再生優先順位保持手段１５の情報に基づき優先順位の高い規定型のプレイリストタイプを持つプレイリスト情報ファイル９を選択し、その手順に従って再生を開始する。コンテンツデータファイルの種類がオーディオデータファイルである場合には、図５に示すようなアーティスト名毎に整理された全てのオーディオデータファイルを含むプレイリストタイプ、ジャンル名毎に整理された全てのオーディオデータファイルを含むプレイリストタイプ、アルバム名毎に整理された全てのオーディオデータファイルを含むプレイリストタイプがより多くのコンテンツデータファイルをエントリーした規定型のプレイリストタイプになる。
【００２３】
次に分岐処理ステップ５３に分岐した場合は、エントリーされたコンテンツデータの総数を基に優先順位を決めるのかどうかを判断し、総数を優先する場合には処理ステップ５４に分岐して、エントリーされているコンテンツデータファイル数が最も多い規定型のプレイリストタイプを持つプレイリスト情報ファイル９を優先的に選択し、その手順に従って再生を開始する。また総数を優先しない場合には処理ステップ５５に分岐して、ファイル読み出し手段１６が最初に読み出したプレイリスト情報ファイル９を、あるいはコンテンツ参照情報ファイル７に最初にエントリーされているプレイリスト情報ファイル９を再生する。
【００２４】
以上の処理により、車載型のＡＶ機器のようにプレイリストの選択に手間を取りたくないが、しかしできる限り整理された順番で、再生が可能なオーディオを鑑賞したいという要求が実現できる。
【００２５】
また同じ記録媒体１を今度は自宅のリビングでじっくりと鑑賞したい場合には、オーディオ以外のコンテンツも視聴したいので、プレイリスト情報ファイル９をメニュー形式で全て表示しておいて、その中からリモコン操作などによりその時の好みに合ったコンテンツを選ぶという使い方をする。分岐処理ステップ４５や分岐処理ステップ５０で自動再生が無効と判断した場合やメニュー表示を行うようにキー操作を行った場合に、プレイリスト情報ファイル９の一覧表示を行う。処理ステップ４６ではファイル管理手段１４によってプレイリスト情報ファイル３０のヘッダ部３１の所定の領域に割り当てられているそれぞれのプレイリスト情報ファイル３０にエントリーされたコンテンツデータの総数を示すコンテンツデータファイル数３４の内容を利用する、あるいは全てのプレイリスト情報ファイル９のエントリー数を確認することによって、エントリーされているコンテンツデータファイル数の多い順にプレイリスト情報ファイル９をソートして一覧を表示する。処理ステップ５６ではコンテンツ参照情報ファイル７のプレイリスト情報ファイルテーブル２４にまとめて記録された全てのプレイリスト情報ファイル９に関するタイプ情報、または全てのプレイリスト情報ファイル９のヘッダ部３１の所定の領域に割り当てられているそれぞれのプレイリスト情報ファイル３０に関するプレイリストタイプ３３と、規定型プレイリストタイプ別再生優先順位保持手段１５の情報に基づき優先順位の高い規定型のプレイリストタイプの順にプレイリスト情報ファイル９をソートして一覧を表示する。これ以外にプレイリスト情報ファイルテーブル２４にあるプレイリストのコンテンツタイプやプレイリストコンテンツタイプ３２の情報によりソートして一覧を表示してもよい。図５はプレイリスト一覧表示の例であり、一覧表示したタイトル名の横にテンキーで直接選択するための通し番号を付けたり、補助的な情報としてエントリーの数を表示したり、規定型であることを識別しやすいように星マークを付けたり、太字にしたり、ハイライト表示にしたりすることもできる。
【００２６】
以上においては、実施の形態１について詳細に説明を行った。
【００２７】
尚、本発明の装置はファイル管理手段１４、規定型プレイリストタイプ別再生優先順位保持手段１５の全部又は一部の手段の機能をコンピュータにより実行させるためのプログラムであって、コンピュータと協働して動作するプログラムであってもよい。
【００２８】
また記録媒体１に保持される管理情報ファイルの集まりである管理情報ファイル群６のコンテンツ参照情報ファイル７、メニュー情報ファイル８、プレイリスト情報ファイル９、メタデータ情報ファイル１０、メニュー表示用画像ファイル１１は個別のファイルとして独立している必要はなく、いくつかのデータ内容をまとめて一つの管理情報ファイルとした構成であってもよい。
【産業上の利用可能性】
【００２９】
本発明にかかる再生装置は、多くのオーディオ、静止画、ビデオのコンテンツデータファイルと共に複数のプレイリスト情報ファイルを記録した記録媒体を自宅のリビングで鑑賞するときには、オーディオ以外のコンテンツも視聴するため、あるいは様々に分類されたオーディオデータファイルを目的に合わせて選曲するために、記録媒体にあらかじめ記録されたプレイリスト情報ファイルをメニュー形式で全て表示しておいて、その中からリモコン操作などにより選んでいくという手順を踏む。また、通勤中や散歩中、あるいは電車の中や乗用車を運転中の時には、機器の操作に気を配る余裕が無く、できる限り少ない操作で早く再生を開始することを望み、例えば乗用車でのドライブ中に音楽鑑賞したい場合に、記録媒体を車載型のＡＶ機器に装着するだけで、最も多くのコンテンツをエントリーした、あるいはアーティスト名、アルバム名、ジャンルいった項目により分類整理されたプレイリストを自動的に選択して、ユーザーに手間を取らさずに再生を開始することが容易になり、余計な操作や注意を払うことなく、エントリーとして多くのコンテンツデータファイルを網羅したプレイリスト情報ファイルに従って即座に視聴が開始できるという用途にも適用できる。
【図面の簡単な説明】
【００３０】
【図１】本発明の実施の形態における再生装置のブロック図
【図２】本発明の実施の形態におけるコンテンツ参照情報ファイルの説明図
【図３】本発明の実施の形態におけるプレイリスト情報ファイルの説明図
【図４】本発明の実施の形態におけるプレイリストを一覧表示するメニュー画面の説明図
【図５】本発明の実施の形態における規定型プレイリストタイプの定義表を示す図
【図６】本発明の実施の形態におけるプレイリスト情報ファイルを自動選択する処理のフロー図
【符号の説明】
【００３１】
１    記録媒体
２    コンテンツデータファイル群
３    オーディオデータファイル
４    静止画データファイル
５    ビデオデータファイル
６    管理情報ファイル群
７    コンテンツ参照情報ファイル
８    メニュー情報ファイル
９    プレイリスト情報ファイル
１０    メタデータ情報ファイル
１１    メニュー表示用画像ファイル
１２    再生装置
１３    制御手段
１４    ファイル管理手段
１５    規定型プレイリストタイプ別再生優先順位保持手段
１６    ファイル読み出し手段
１７    コンテンツデータファイルデコード手段
１８    メニュー表示手段
１９    操作入力手段
【図１】
2005276337.tif 000003
【図２】
2005276337.tif 000004
【図３】
2005276337.tif 000005
【図４】
2005276337.tif 000006
【図５】
2005276337.tif 000007
【図６】
2005276337.tif 000008